(57)【要約】【課題】転送先である携帯端末装置の表示画面の視認性が高い非接触近接無線転送方式の配信装置を提供する。【解決手段】実施形態の配信装置は、表示手段と、支持手段と、通信手段と、を具備する。表示手段は、操作案内の表示及び指示入力を受けつける。支持手段は、前記表示手段の垂直面からの角度に対して大きな角度で設けられ、前記表示手段が受けつける配信操作に基づいて配信するコンテンツを保持する転送先機器を支持する。通信手段は、前記支持手段の近傍に設けられ、前記支持手段が支持する前記転送先機器に非接触通信により前記コンテンツを配信する。【選択図】図１
2014157545.tif 000002
【特許請求の範囲】
【請求項１】
操作案内の表示及び指示入力を受けつける表示手段と、
前記表示手段の垂直面からの角度に対して大きな角度で設けられ、前記表示手段が受けつける配信操作に基づいて配信するコンテンツを保持する転送先機器を支持する支持手段と、
前記支持手段の近傍に設けられ、前記支持手段が支持する前記転送先機器に非接触通信により前記コンテンツを配信する通信手段と、
を具備する配信装置。
【請求項２】
前記通信手段が出力する電波の方向は、前記表示手段が表示する画像の表示方向または前記転送先機器の表示部が表示する画像の表示方向の少なくとも一方と実質的に直交する請求項１の配信装置。
【請求項３】
前記支持手段は、前記転送先機器が前記通信手段から受け取る電波の方向が前記支持手段が支持する前記転送先機器の表示部が表示する画像の表示方向と実質的に直交する方向となるよう前記転送先機器を支持する請求項１または２の配信装置。
【発明の詳細な説明】
【技術分野】
【０００１】
この発明は、デジタルコンテンツを配信する配信装置に関する。
【背景技術】
【０００２】
商業施設内や街頭の販売店等において、ＫＩＯＳＫ端末（キオスク端末）と称し、デジタルコンテンツの配信を行う配信装置がある。
【０００３】
ＫＩＯＳＫ端末は、ユーザに所定の操作を要求する対話型ユーザインタフェース部と、ユーザが保持する携帯端末装置にコンテンツを転送する転送部と、を有する。
【０００４】
対話型ユーザインタフェース部は、表示部が表示する画面表示を透過するタッチセンサ（タッチパネル）に対するユーザ入力（指等による操作）を受け付ける。
【先行技術文献】
【特許文献】
【０００５】
【特許文献１】特開２０１０−２８７０６４号公報
【発明の概要】
【発明が解決しようとする課題】
【０００６】
しかしながら、現行では、ユーザインタフェース部の画面の見やすさ及び高さを主体とする画面の配置を適用する配信装置が多い。
【０００７】
このため、コンテンツの転送（ダウンロード）先として配信装置の転送部へセットした携帯端末装置の表示画面が見えにくい場合が少なくない。
【０００８】
本発明の目的は、転送先である携帯端末装置の表示画面の視認性が高い非接触近接無線転送方式の配信装置を提供することである。
【課題を解決するための手段】
【０００９】
実施形態の配信装置は、表示手段と、支持手段と、通信手段と、を具備する。表示手段は、操作案内の表示及び指示入力を受けつける。支持手段は、前記表示手段の垂直面からの角度に対して大きな角度で設けられ、前記表示手段が受けつける配信操作に基づいて配信するコンテンツを保持する転送先機器を支持する。通信手段は、前記支持手段の近傍に設けられ、前記支持手段が支持する前記転送先機器に非接触通信により前記コンテンツを配信する。
【図面の簡単な説明】
【００１０】
【図１】実施形態の配信装置の一例を示す。
【図２】実施形態の配信装置のユーザインタフェース及び端末設置台の一例を示す。
【図３】実施形態の配信装置の電波方向の一例を示す。
【図４】実施形態の配信装置の端末設置台と携帯端末配置の位置関係の一例を示す。
【発明を実施するための形態】
【００１１】
以下、実施の形態について図面を参照して説明する。
【００１２】
図１及び図２に示す配信装置（すなわちＫＩＯＳＫ（キオスク）端末装置）１は、装置本体３、ユーザインタフェース部（操作案内表示部一体型指示入力部）５、携帯端末設置台（転送先機器保持部）７及び近距離データ通信部９、等を有する。携帯端末設置台７は、データの受け渡しの間、携帯端末装置１１を、保持する。近距離データ通信部９は、例えばTransfer Jet（登録商標）／（トランスファージェット（登録商標））等の誘導電界を用いる非接触近接無線転送方式に適合する。
【００１３】
携帯端末装置１１は、ユーザインタフェース部（表示部一体型指示入力部）１３及び非接触近接無線転送方式に適合する近距離データ通信部１５、等を有する。近距離データ通信部１５は、配信装置１の近距離データ通信部９との間で、データの受け渡しが可能である。
【００１４】
ＫＩＯＳＫ端末装置１は、携帯端末設置台７が保持する携帯端末装置１１にコンテンツを転送する。
【００１５】
装置本体３は、例えば電源部、通信部及び本体構造部、等を含む。電源部は、商用電源と接続し、ＫＩＯＳＫ端末１の各部に、各部の動作に必要な電力を供給する。通信部は、例えばネットワーク網を通じ、コンテンツ供給元のサーバあるいはポータル（ページ）との接続を制御する。本体構造部は、ユーザインタフェース部５及び携帯端末設置台７を支持する構造体と外装部材等を含み、ユーザインタフェース部５及び携帯端末設置台７を、所定の高さ及び角度で支持する。
【００１６】
ユーザインタフェース部５は、装置本体３の所定の位置に位置する携帯端末設置台７に比較して携帯端末設置台７の上方に位置する。ユーザインタフェース部５は、例えば身長１３０ｃｍ（センチメートル）程度のユーザが正面またはその近傍に位置した（立った）場合に、視線が僅かに下方となる高さに位置する。
【００１７】
携帯端末設置台７は、近距離データ通信部（トランスファージェット）９のアクセス部９ａを有する。携帯端末設置台７は、携帯端末装置１１の近距離データ通信部（トランスファージェット）１５のアクセス部１５ａとの間の通信が可能な所定位置に位置する場合にデータの受け渡しが可能に、携帯端末装置１１を保持する。
【００１８】
ユーザインタフェース部５の表示部（タッチセンサ／タッチパネル）５ａは、図２に一例を示すように、装置本体３が位置する設置面すなわち地平面（地面）または人工地盤と直交する方向（垂直面）を基準として１０〜３０度（角度ａ）傾いた状態で、装置本体３の所定の位置に位置する。すなわち、ユーザインタフェース部５は、ＫＩＯＳＫ端末１の正面またはその近傍に位置したユーザが姿勢を変える（例えば首を傾ける）ことを要求することなく、ユーザインタフェース部５の表示部５ａが表示する画面表示を、視線移動により目視可能とする。
【００１９】
携帯端末設置台７は、ユーザインタフェース部５の上述した垂直面からの傾きと同等、あるいはユーザインタフェース部５の上述した傾きよりも最大で１５度程度さらに傾いた状態（角度ｂ）で装置本体３の所定の位置に位置する。すなわち、携帯端末設置台７は、携帯端末設置台７に設置する携帯端末装置１１の表示部１３ａを、ユーザインタフェース部５の表示部５ａと直交する方向と概ね平行な図２に矢印１Ａで示す方向あるいはユーザがユーザインタフェース部５の表示部５ａを目視する方向に対して視線移動により目視可能とする図２に矢印１Ｂで示す方向、に位置する。従って、携帯端末設置台７が保持する携帯端末装置１１もしくはその表示部１３ａは、ユーザインタフェース部５の表示部５ａが表示する画面表示（ディスプレイ）を視認するユーザの視線移動を必要とすることなく目視可能である。なお、角度ｂ（携帯端末設置台７の垂直面からの傾き）は、携帯端末設置台７に設置する携帯端末装置１１の自重で、携帯端末設置台７の近距離データ通信部９のアクセス部９ａと対向することが好ましく、例えば８５度あるいは７５度もしくは６０度程度の傾きを上限とすることが好ましい（地平面または人工地盤に対して非平行であることが好ましい）。
【００２０】
図３は、ＫＩＯＳＫ端末１及び携帯端末装置１１のそれぞれが保持する近距離データ通信部９及び１５相互の無線方式の接続の一例を示す。
【００２１】
ＫＩＯＳＫ端末１すなわち携帯端末設置台７において、近距離データ通信部９のアクセス部９ａが出力する誘導電界（微弱な電波）２１の出力方向は、ユーザインタフェース部５の表示部５ａが表示する画像表示のディスプレイ方向（表示方向）である矢印Ｃ方向と直交する矢印Ａ方向であることが好ましい。このため、ＫＩＯＳＫ端末１側の近距離データ通信部９を、近距離データ通信部９が一体的に有するアクセス部９ａが携帯端末設置台７（ＫＩＯＳＫ端末１）に搭載する際、電波（誘導電界）の出力方向２１とディスプレイ方向（矢印Ｃ方向）とが、直交するように搭載する。
【００２２】
すなわち、携帯端末装置１１における近距離データ通信部１５が出力する誘導電界（微弱な電波）２３の出力方向は、携帯端末装置１１の表示部１３ａが表示する画像表示の表示方向であるディスプレイ方向（表示方向）である矢印Ｃ方向と直交する方向であって、矢印Ａ方向と対向する矢印Ｂ方向であることが多い。このため、携帯端末装置１１の表示部（ユーザインタフェース部）１３ａの表示を目視しながら携帯端末設置台７に設置する場合、携帯端末装置１１の近距離データ通信部１５のアクセス部１５ａは、（ＫＩＯＳＫ端末１の）携帯端末設置台７の近距離データ通信部９のアクセス部９ａと対向することが多くなる（ことが予測できる）。
【００２３】
従って、ＫＩＯＳＫ端末１のユーザインタフェース部５の表示部５ａの画面表示の表示方向（ディスプレイ方向）と近距離データ通信部９のアクセス部９ａの向きを図３に示すように規定して近距離データ通信部９を配置することで、図４のようにＫＩＯＳＫ端末１（の携帯端末設置台７）に設置する携帯端末装置１１のデータの受け渡し時における携帯端末装置１１の表示部１３ａが表示する画面表示の表示方向（ディスプレイ方向）が同じ方向になる。すなわち、ＫＩＯＳＫ端末１の携帯端末設置台７に、携帯端末装置１１を設置してコンテンツをダウンロード（取得）しようとするユーザは、それぞれの表示面すなわちＫＩＯＳＫ端末１のユーザインタフェース部５の表示部５ａの表示及びＫＩＯＳＫ端末１の携帯端末設置台７に設置する携帯端末装置１１の表示部１３ａの表示を、ほとんど視線を動かすことなく、視認（目視）できる。従い、携帯端末装置１１の表示部１３ａが表示するダウンロード（転送）の進捗状況や、ダウンロードの終了メッセージ、等の確認時にユーザが姿勢を変える必要がない。もちろん、万一の不具合の発生時におけるアラート表示、等についても容易に、認識できる。
【００２４】
なお、図３においては、誘導電界（微弱な電波）２１と誘導電界（微弱な電波）２３とを、対向する１軸のみとして説明している。しかしながら、近距離データ通信部（トランスファージェット）９においては、出力する誘導電界（微弱な電波）は、出力部（結合電極）から外部への出力時に縦波となるよう規定されているため、２軸、３軸方向など、電波の方向は、さまざまである場合もある（携帯端末装置１１を、必ずしも、携帯端末設置台７のアクセス部９ａと対向する限られた角度で設置する必要がない）。
【００２５】
なお、実施形態の説明において、非接触近距離通信方式としてトランスファージェット（Transfer Jet）を例として説明したが、例えばＷｉ−Ｆｉ（高速無線通信）やブルートゥース（登録商標）、等の他の非接触近距離通信方式も利用可能である。
【００２６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２７】
１…ＫＩＯＳＫ端末（配信装置）、３…装置本体、５…ユーザインタフェース部（表示部一体型指示入力部）、５ａ…表示部、７…携帯端末設置台（転送先機器保持部）、９…近距離データ通信部、９ａ…アクセス部、１１…携帯端末装置（転送先機器）、１３…ユーザインタフェース部（表示部一体型指示入力部）、１５…近距離データ通信部、１５ａ…アクセス部、２１，２３…誘導電界（電波）出力方向。
【図１】
2014157545.tif 000003
【図２】
2014157545.tif 000004
【図３】
2014157545.tif 000005
【図４】
2014157545.tif 000006